(57)【要約】【課題】優れた実装性を確保できるとともに、耐塵埃性を向上させることができる接点付きシートの提供。【解決手段】可動接点５を保持しシート状電子素子部品、例えばＥＬシート１に、可動接点５が収容される接点収容部２ｃ及びこの接点収容部２ｃに連通する空気溝２ｄを有する絶縁性シート２を積層して一体化させるとともに、絶縁性シート２の接点収容部２ｃ及び空気溝２ｄと、ＥＬシート１の端部を形成する迂回部１ｃとが近接する所定箇所において、絶縁性シート２に、ＥＬシート１の迂回部１ｃよりも外側へ突出する突出部２ａを設け、ＥＬシート１の迂回部１ｃ付近の接点収容部２ｃ及び空気溝２ｄの壁部２ｅ，２ｆを厚く形成した構成にしてある。【選択図】図１
2007103166.tif 000002
【特許請求の範囲】
【請求項１】
可動接点を保持する第１シートに、上記可動接点が収容される接点収容部を有する第２シートを積層して一体化して成る接点付きシートであって、
上記第２シートの上記接点収容部と上記第１シートの端部とが近接する所定箇所において、上記第２シートに、上記第１シートの端部よりも外側へ突出する突出部を設けたことを特徴とする接点付きシート。
【請求項２】
上記請求項１記載の発明において、
上記第２シートに、上記接点収容部と連通し上記第２シート内での空気移動を可能とする空気溝を設けるとともに、
この空気溝と上記第１シートの端部とが近接する所定箇所において、上記第２シートに、上記第１シートの端部よりも外側へ突出する突出部を設けたことを特徴とする接点付きシート。
【請求項３】
上記請求項１記載の発明において、
上記第２シートの上記突出部に、所定部品の取り付けを可能とする孔部を設けたことを特徴とする接点付きシート。
【請求項４】
上記請求項１記載の発明において、
上記第１シートはシート状電子素子部品から成り、上記第２シートは絶縁性シートから成ることを特徴とする接点付きシート。
【請求項５】
上記請求項１記載の発明において、
上記第２シートの上記第１シートが積層される面と反対側の面に粘着部を設け、この粘着部に上記第２シートからの剥離が可能な剥離シートを接着したことを特徴とする接点付きシート。
【請求項６】
スイッチ基板に、上記請求項１〜５のいずれか１項記載の接点付きシートを積層し、上記可動接点と上記スイッチ基板に設けられる固定接点とを対向させるようにしてこれらのスイッチ基板と接点付きシートとを一体化したことを特徴とする入力装置。
【発明の詳細な説明】
【技術分野】
【０００１】
本発明は、可動接点を保持する第１シートと、可動接点が収容される接点収容部を有する第２シートとを積層して成る接点付きシート、及びこの接点付きシートが備えられた入力装置に関する。
【背景技術】
【０００２】
この種の従来技術として、特許文献１に示されるものがある。この従来技術における接点付きシートは、下面に接着剤が塗布された絶縁フィルム製の第１シートと、この第１シートに保持される金属製のドーム状の可動接点と、第１シートの下面に接着され、上述の可動接点が収容される複数の収納孔、すなわち接点収容部を有する第２シートとを備えた構成になっている。また、接点収容部に連結される連結溝、すなわち第２シート内での空気移動を可能にさせる空気溝も備えた構成になっている。
【０００３】
また、上述した接点付きシートが備えられる従来技術におけるシートスイッチ、すなわち入力装置は、固定接点を有する回路基板を備え、この回路基板上に接点付きシートが、その可動接点が回路基板の固定接点に対向するように配置されて積層され、一体化された構成となっている。
【０００４】
なお、上述した従来技術における接点付きシートは、特許文献１中には明記されていないが、実際には、回路基板に実装される他の部品と接触しない外形形状、すなわち他の部品を迂回する外形形状に形成されている。
【特許文献１】特開２００１−１４９７３公報
【発明の開示】
【発明が解決しようとする課題】
【０００５】
上述した従来技術では、接点付きシートが他の部品を迂回する外形形状に形成されていることから、回路基板上に接点付きシートと他の部品とを近接させて配置でき、優れた実装性を確保できる。
【０００６】
しかし、他の部品に近接する接点付きシートの部分においては、この接点付きシートが他の部品を迂回する形状になっていることから、接点付きシートの端部と、この接点付きシートに含まれる第２シートの接点収容部との間隔が微小となって、この接点収容部を形成する壁部が薄くなりやすい。このために、外部から接点収容部へ塵埃が侵入する虞があった。
【０００７】
本発明は、上述した従来技術における実状からなされたもので、その目的は、優れた実装性を確保できるとともに、耐塵埃性を向上させることができる接点付きシート、及び入力装置を提供することにある。
【課題を解決するための手段】
【０００８】
この目的を達成するために、本発明の接点付きシートは、可動接点を保持する第１シートに、上記可動接点が収容される接点収容部を有する第２シートを積層して一体化して成る接点付きシートであって、上記第２シートの上記接点収容部と上記第１シートの端部とが近接する所定箇所において、上記第２シートに、上記第１シートの端部よりも外側へ突出する突出部を設けたことを特徴としている。
【０００９】
このように構成した本発明の接点付きシートは、第１シートを他の部品を迂回する形状に形成することにより、スイッチ基板や筐体等に実装させた際に、第１シートと他の部品とを近接配置でき、これによって優れた実装性を確保できる。また、第１シートの迂回形状部分において、すなわち第２シートの接点収容部と第１シートの端部とが近接する所定箇所において、第２シートが第１シートの端部よりも外側へ突出する突出部を有することから、この突出部によって第２シートの接点収容部の壁部を厚くすることができる。これにより、外部から接点収容部への塵埃の侵入を防ぐことができ、優れた耐塵埃性を確保することができる。
【００１０】
また、本発明の接点付きシートは、上記発明において、上記第２シートに、上記接点収容部と連通し上記第２シート内での空気移動を可能とする空気溝を設けるとともに、この空気溝と上記第１シートの端部とが近接する所定箇所において、上記第２シートに、上記第１シートの端部よりも外側へ突出する突出部を設けたことを特徴としている。
【００１１】
このように構成した本発明の接点付きシートは、第２シートに、この第２シートの接点収容部に連通する空気溝を設けてあるので、可動接点の操作時に第２シートの接点収容部の空気を空気溝内に流入出させることができる。また、第１シートの迂回形状部分において、すなわち第２シートの空気溝と第１シートの端部とが近接する所定箇所において、第２シートが第１シートの端部よりも外側に突出する突出部を有することから、この突出部によって第２シートの空気溝の壁部を厚くすることができる。これにより、外部から空気溝への塵埃の侵入を防ぐことができ、優れた耐塵埃性を確保できる。
【００１２】
また、本発明の接点付きシートは、上記発明において、上記第２シートの上記突出部に、所定部品の取り付けを可能とする孔部を設けたことを特徴としている。
【００１３】
このように構成した本発明の接点付きシートは、スイッチ基板や筐体等に実装させる際に、第２シートの突出部に設けた孔部を介して他の部品がこの第２シートの突出部を挟むように取り付けられ、また、他の部品と第１シートとを互いに近接させることができる。
【００１４】
また、本発明の接点付きシートは、上記発明において、上記第１シートはシート状電子素子部品から成り、上記第２シートは絶縁性シートから成ることを特徴としている。
【００１５】
このように構成した本発明の接点付きシートは、この接点付きシートに例えばＥＬシートのようなシート状電子素子部品を含ませることができ、この接点付きシートの機能を向上させることができる。
【００１６】
また、本発明の接点付きシートは、上記発明において、上記第２シートの上記第１シートが積層される面と反対側の面に粘着部を設け、この粘着部に上記第２シートからの剥離が可能な剥離シートを接着したことを特徴としている。
【００１７】
このように構成した本発明の接点付きシートは、スイッチ基板や筐体等への実装に際しては、剥離シートを剥がすことにより、第２シートの粘着部が露出し、この粘着部を介して接点付きシートをスイッチ基板や筐体等に簡単に取り付けることができる。
【００１８】
また、上記目的を達成するために、本発明の入力装置は、スイッチ基板に、上記いずれかの接点付きシートを積層し、上記可動接点と上記スイッチ基板に設けられる固定接点とを対向させるようにしてこれらのスイッチ基板と接点付きシートとを一体化したことを特徴としている。
【００１９】
このように構成した本発明の入力装置は、接点付きシートに含まれる第１シートを他の部品を迂回する形状に形成することにより、スイッチ基板上に接点付きシートの第１シートと他の部品とを近接配置でき、これによって優れた実装性を確保できる。また、第１シートの迂回形状部分において、すなわち接点付きシートの接点収容部と第１シートの端部とが近接する所定箇所において、第２シートが第１シートの端部よりも外側へ突出する突出部を有することから、この突出部によって第２シートの接点収容部の壁部を厚くすることができる。これにより外部から接点収容部への塵埃の侵入を防ぐことができ、優れた耐塵埃性を確保することができる。
【発明の効果】
【００２０】
本発明の接点付きシート、及び入力装置は、優れた実装性を確保することができるとともに、接点付きシートの第２シートに、第１シートの端部よりも外側へ突出する突出部を設けたことから、第１シートに保持される可動接点が収容される第２シートの接点収容部の壁部を厚くすることができ、これにより外部から接点収容部への塵埃の侵入を防ぐことができ、耐塵埃性を向上させることができる。これらによって、従来に比べて高い信頼性を確保できる。
【発明を実施するための最良の形態】
【００２１】
以下，本発明に係る接点付きシート、及び入力装置を実施するための最良の形態を図に基づいて説明する。
【００２２】
［接点付きシートの一実施形態の構成］
図１〜５は本発明に係る接点付きシートの一実施形態を説明する図で、図１は平面図、図２は図１のＡ−Ａ断面拡大図である。図３は本発明に係る接点付きシートの一実施形態を構成するＥＬシートと絶縁性シートとを積層して一体化させた状態を示す図で、（ａ）図は平面図、（ｂ）図は裏面図である。図４は本発明に係る接点付きシートの一実施形態を構成するＥＬシートを示す平面図、図５は本発明に係る接点付きシートの一実施形態を構成する絶縁性シートを示す平面図である。
【００２３】
本実施形態の接点付きシートは、図１，２に示すように可動接点５を保持するシート状電子素子部品から成る第１シート、例えばＥＬ（エレクトロルミネッセンス）素子から成るＥＬシート１と、このＥＬシート１の下面に設けた粘着剤に接着され、可動接点５が収容される接点収容部２ｃを有する第２シート、すなわち絶縁性シート２とを備えている。
【００２４】
ＥＬシート１には、図３にも示すように、複数の可動接点５のそれぞれに対応する位置に照光部１ａが形成され、一方の端部に入力部１ｂが形成されている。また、他方の端部には後述するように、所定の部品との接触を避ける形状に形成された迂回部１ｃを設けてある。このＥＬシート１に保持される可動接点５は、金属製のばね性を有するドーム状に形成してある。
【００２５】
ＥＬシート１に積層される絶縁性シート２は、図３，５にも示すように、上述した複数の可動接点５のそれぞれが収容される接点収容部２ｃの他に、これらの接点収容部２ｃと連通し、絶縁シート２内での空気移動を可能にする空気溝２ｄを有する。
【００２６】
また特に、この絶縁性シート２には、接点収容部２ｃ及び空気溝２ｄと、ＥＬシート１の端部とが近接する所定箇所において、すなわちＥＬシート１の迂回部１ｃが形成されている部分において、ＥＬシート１の端部よりも外側へ突出する突出部２ａを設けてある。また、この突出部２ａには、後述する所定の部品の取り付けを可能とする孔部２ｂを形成してある。
【００２７】
また、図２に示すように、本実施形態の接点付きシートは、絶縁性シート２のＥＬシート１が積層される面と反対側の面、すなわち下面に粘着部を設けてあり、この粘着部に絶縁性シート２からの剥離が可能な剥離シート３を接着させてある。
【００２８】
上述した絶縁性シート２と剥離シート３とは、例えば剥離シート３に絶縁性シート２が接着された状態で所定の打ち抜き金型に収納され、この打ち抜き金型によって絶縁性シート２と剥離シート３とが一緒に打ち抜かれ、これによって接点収容部２ｃと空気溝２ｄとが貫通穴として形成されるようになっている。
【００２９】
上述のように構成した本実施形態の接点付きシートは、搬送等に際しては、図２に示すように、絶縁性シート２に剥離シート３を接着させ、さらに剥離シート３に保護シート４を接着させた状態で搬送等の処理がなされる。また、スイッチ基板や筐体等への実装に際しては、保護シート４を剥がし、さらに剥離シート３を剥がすことにより、絶縁性シート２の粘着部が露出し、この粘着部を介してＥＬシート１及び絶縁性シート２を含むこの接点付きシートが、スイッチ基板や筐体等に取り付けられる。このように構成した本実施形態の接点付きシートは、以下に述べるように入力装置に組み込まれて活用される。
【００３０】
図６は本発明に係る入力装置の一実施形態を示す要部断面図である。
【００３１】
［入力装置の一実施形態の構成］
この図６に示すように、本実施形態の入力装置は、中央固定接点１０ａ及び周辺固定接点１０ｂの組み合わせから成る複数の固定接点が形成されたスイッチ基板１０と、上述した可動接点５を保持するＥＬシート１及び絶縁性シート２を含む接点付きシート１１とを備えている。また、絶縁性シート２の可動接点５のそれぞれと、スイッチ基板１０に設けられる中央固定接点１０ａ及び周辺固定接点１０ｂを含む固定接点のそれぞれとを対向させるようにして、これらのスイッチ基板１０と接点付きシート１１とを一体化してある。可動接点５は、周辺固定接点１０ｂに常時導通し、中央固定接点１０ａに選択的に導通するようになっている。
【００３２】
また、ＥＬシート１の端部から突出する絶縁性シート２の突出部２ａに形成した孔部２ｂに挿入されるねじ１２によって、所定の部品１３が突出部２ａを挟むように取り付けられ、ＥＬシート１の迂回部１ｃに近接配置させてある。
【００３３】
接点付きシート１１の上方はケース１４によって覆われ、このケース１４には、複数の操作部１５が上下動可能に取り付けられている。操作部１５は、この操作部１５の下方部分を形成する押圧部１５ａが、可動接点５に対応して設けられているＥＬシート１の照光部１ａの部分を押圧可能なように、すなわち照光部１ａを介して可動接点５を押圧可能なように配置されている。
【００３４】
このように構成される本実施形態の入力装置では、図６に示す状態にあっては、接点付きシート１１の可動接点５がスイッチ基板１０の中央固定接点１０ａから離れていることから、中央固定接点１０ａと周辺固定接点１０ｂ間が遮断され、スイッチオフとなっている。この状態から操作部１５を下方へ押すと、操作部１５の押圧部１５ａがＥＬシート１を介して可動接点５を押圧し、この可動接点５がタクティールフィーリングを伴って反転して中央固定接点１０ａに導通する。これによって、可動接点５を介して中央固定接点１０ａと周辺固定接点１０ｂとが導通し、スイッチオンとなる。
【００３５】
［接点付きシートの一実施形態の効果］
上述の図１〜５に示すように構成した接点付きシートの一実施形態によれば、ＥＬシート１を他の部品を迂回する形状に、すなわち迂回部１ｃを有する形状に形成したことにより、図６に示したようにスイッチ基板１０に実装した際に、あるいは別の筐体等に実装した際に、ＥＬシート１と他の部品とを近接配置でき、これによって優れた実装性を確保できる。また、ＥＬシート１の迂回形状部分において、すなわち絶縁性シート２の接点収容部２ｃ及び空気溝２ｄと、ＥＬシート１の端部とが近接する所定箇所において、絶縁性シート２がＥＬシート１の端部よりも外側へ突出する突出部２ａを有することから、この突出部２ａによって図３に示すように、絶縁性シート２の接点収容部２ｃの壁部２ｅ、及び空気溝２ｄの壁部２ｆを厚くすることができる。これにより、外部から接点収容部２ｃ及び空気溝２ｄへの塵埃の侵入を防ぐことができ、優れた耐塵埃性を確保することができる。これらにより信頼性の高い接点付きシートが得られる。
【００３６】
また、図３，５に示すように、絶縁性シート２に、この絶縁性シート２の接点収容部２ｃと連通し、絶縁性シート２内での空気移動を可能にする空気溝２ｄを設けてあるので、可動接点５の操作時に絶縁性シート２の接点収容部２ｃの空気を空気溝２ｄ内に流入出させることができる。これによって、可動接点５の良好な操作感触を確保できる。
【００３７】
また、本実施形態の接点付きシートに、ＥＬシート１を含ませることができ、この接点付きシートの機能を向上させることができる。
【００３８】
さらに、本実施形態の接点付きシート２の粘着部に剥離シート３を接着させ、この剥離シート３に保護シート４を接着させることにより、絶縁性シート２の粘着部の外部への露出を防ぎ、円滑な搬送等を実現させることができる。また、スイッチ基板や筐体等への実装に際しては、保護シート４を剥がし、さらに絶縁性シート３を剥がすことにより、絶縁性シート３の粘着部を介してＥＬシート１及び絶縁性シート２を含むこの接点付きシートを、スイッチ基板１０や筐体等に簡単に取り付けることができる。
【００３９】
［入力装置の一実施形態の効果］
上述した図６に示すように構成した入力装置の一実施形態によれば、上述したように接点付きシート１１に含まれるＥＬシート１を部品１３を迂回する迂回部１ｃを有する形状に形成することにより、スイッチ基板１０上に接点付きシート１１のＥＬシート１と部品１３とを近接配置でき、これによって優れた実装性を確保できる。
【００４０】
また、ＥＬシート１の迂回形状部分において、すなわち接点付きシート１１の絶縁性シート２の接点収容部２ｃと、ＥＬシート１の端部とが近接する所定箇所において、絶縁性シート２がＥＬシート１の端部よりも外側へ突出する突出部２ａを有することから、この突出部２ａによって上述したように、絶縁性シート２の接点収容部２ｃ、及び空気溝２ｄの壁部２ｅ，２ｆを厚くすることができる。これにより外部から接点収容部２ｃ、及び空気溝２ｄへの塵埃の侵入を防ぐことができ、優れた耐塵埃性を確保することができる。これらにより、信頼性の高い入力装置が得られる。
【図面の簡単な説明】
【００４１】
【図１】本発明に係る接点付きシートの一実施形態を示す平面図である。
【図２】図１のＡ−Ａ断面拡大図である。
【図３】本発明に係る接点付きシートの一実施形態を構成するＥＬシートと絶縁性シートとを積層して一体化させた状態を示す図で、（ａ）図は平面図、（ｂ）図は裏面図である。
【図４】本発明に係る接点付きシートの一実施形態を構成するＥＬシートを示す平面図である。
【図５】本発明に係る接点付きシートの一実施形態を構成する絶縁性シートを示す平面図である。
【図６】本発明に係る入力装置の一実施形態を示す要部断面図である。
【符号の説明】
【００４２】
１    ＥＬシート（シート状電子素子部品）〔第１シート〕
１ａ  照光部
１ｂ  入力部
１ｃ  迂回部
２    絶縁性シート〔第２シート〕
２ａ  突出部
２ｂ  孔部
２ｃ  接点収容部
２ｄ  空気溝
２ｅ  壁部
２ｆ  壁部
３    剥離シート
４    保護シート
５    可動接点
１０    スイッチ基板
１０ａ  中央固定接点
１０ｂ  周辺固定接点
１１    接点付きシート
１２    ねじ
１３    部品
１４    ケース
１５    操作部
１５ａ  押圧部
【図１】
2007103166.tif 000003
【図２】
2007103166.tif 000004
【図３】
2007103166.tif 000005
【図４】
2007103166.tif 000006
【図５】
2007103166.tif 000007
【図６】
2007103166.tif 000008